(57)【要約】【課題】ストロボを用いた撮影時に適切な照射角で撮影を行うことができるストロボ撮影システムを提供する。【解決手段】撮影レンズの焦点距離情報に応じてストロボ光の照射角を変更する照射角可変手段（Ｓ２０９）と、撮影画質を選択する撮影画質選択手段（Ｓ１０３）とを有し、前記照射角可変手段は、前記撮影レンズの焦点距離情報に加えて、前記撮影画質選択手段による選択結果に応じて前記ストロボ光の照射角を変更（Ｓ２０７）するようにしている。【選択図】図２
2006154368.tif 000002
【特許請求の範囲】
【請求項１】
撮影レンズの焦点距離情報に応じてストロボ光の照射角を変更する照射角可変手段と、
撮影画質を選択する撮影画質選択手段と、
を有するストロボ撮影システムにおいて、
前記照射角可変手段は、前記撮影レンズの焦点距離情報に加えて、前記撮影画質選択手段による選択結果に応じて前記ストロボ光の照射角を変更することを特徴とするストロボ撮影システム。
【請求項２】
前記照射角可変手段は、前記撮影画質選択手段により高画質が選択された場合は、前記撮影レンズの焦点距離情報に応じた照射角よりも広角側の照射角に変更することを特徴とする請求項１に記載のストロボ撮影システム。
【請求項３】
撮影レンズの焦点距離情報に応じてストロボ光の照射角を変更する照射角可変手段と、
撮影画質を選択する撮影画質選択手段と、
を有するストロボ撮影システムにおいて、
前記撮影画質選択手段による選択結果に応じて前記撮影レンズの焦点距離情報を補正する焦点距離補正手段を有することを特徴とするストロボ撮影システム。
【請求項４】
前記焦点距離補正手段は、前記撮影画質選択手段により高画質が選択された場合は、前記撮影レンズの焦点距離情報を広角側に補正することを特徴とする請求項３に記載のストロボ撮影システム。
【請求項５】
当該ストロボ撮影システムは、カメラとストロボ装置を構成要素として有しており、前記カメラが、前記撮影レンズの焦点距離情報を広角側に補正するための動作を行い、あるいは、前記ストロボ装置が、前記カメラより入力される前記撮影レンズの焦点距離情報を補正することを特徴とする請求項３に記載のストロボ撮影システム。
【請求項６】
前記撮影画質選択手段により選択される画質とは、画像サイズあるいは圧縮率であることを特徴とする請求項１ないし５のいずれかに記載のストロボ撮影システム。
【請求項７】
撮影レンズの焦点距離に応じてストロボ光の照射角を制御する照射角可変手段と、
外光輝度を測定する外輝度測定手段と、
前記外光輝度の測光結果に基づいてストロボ光寄与率を決定するストロボ光寄与率手段と、
を有し、
前記照射角可変手段は、前記撮影レンズの焦点距離情報に加えて、前記ストロボ光寄与率の決定結果に応じて前記ストロボ光の照射角を変更することを特徴とするストロボ撮影システム。
【請求項８】
前記ストロボ光寄与率の決定結果による該ストロボ光寄与率が高くなる程、前記ストロボ光の照射角を広角側に補正することを特徴とする請求項７に記載のストロボ撮影システム。
【請求項９】
撮影レンズの焦点距離情報に応じてストロボ光の照射角を変更する照射角可変手段を有するストロボ装置において、
前記照射角可変手段は、前記撮影レンズの焦点距離情報に加えて、撮影画質を示す撮影画質情報に応じて前記ストロボ光の照射角を変更することを特徴とするストロボ装置。
【請求項１０】
前記焦点距離情報と前記撮影画質情報はカメラから送信される情報であることを特徴とする請求項９に記載のストロボ装置。
【請求項１１】
前記撮影画質情報とは、画像サイズあるいは圧縮率であることを特徴とする請求項９または１０に記載のストロボ装置。
【請求項１２】
撮影レンズの焦点距離情報に応じてストロボ光の照射角を制御する照射角制御手段を有するストロボ装置において、
前記照射角可変手段は、前記撮影レンズの焦点距離情報に加えて、外光輝度の測光結果に基づいて決定されたストロボ光寄与率情報に応じて前記ストロボ光の照射角を変更することを特徴とするストロボ装置。
【請求項１３】
前記焦点距離情報と前記ストロボ光寄与率情報はカメラから送信される情報であることを特徴とする請求項１２に記載のストロボ装置。
【請求項１４】
撮影レンズの焦点距離情報に応じてストロボ光の照射角を変更する照射角可変手段と、
画質モードを選択する画質モード選択手段と、
を有するストロボ装置において、
前記照射角可変手段は、前記画質モード選択手段により選択された画質モードに応じて照射角を変更することを特徴とするストロボ装置。
【請求項１５】
ストロボ装置へ撮影レンズの焦点距離情報を出力するカメラにおいて、
前記焦点距離に対応した照射角を変更させるために、前記ストロボ装置へ焦点距離情報と撮影画質を示す撮影画質情報を出力することを特徴とするカメラ。
【請求項１６】
ストロボ光の照射角を変更する照射角可変手段を有するストロボ装置と接続可能なカメラであって、
撮影画質を選択する撮影画質選択手段と、
前記撮影レンズの焦点距離情報に加えて、前記撮影画質選択手段による選択結果に応じて前記ストロボ光の照射角を設定するストロボ照射角設定手段と、
前記ストロボの照射角を前記ストロボ装置に送信する送信手段と、
を有することを特徴とするカメラ。
【請求項１７】
前記撮影画質選択手段により選択される画質とは、画像サイズあるいは圧縮率であることを特徴とする請求項１６に記載のカメラ。
【請求項１８】
ストロボ光の照射角を変更する照射角可変手段を有するストロボ装置と接続可能なカメラであって、
外光輝度を測定する外輝度測定手段と、
前記外光輝度の測光結果に基づいてストロボ光寄与率を決定するストロボ光寄与率手段と、
前記撮影レンズの焦点距離情報に加えて、前記ストロボ光寄与率の決定結果に応じて前記ストロボ光の照射角を設定するストロボ照射角設定手段と、
前記ストロボの照射角を前記ストロボ装置に送信する送信手段と、
を有することを特徴とするカメラ。
【発明の詳細な説明】
【技術分野】
【０００１】
本発明は、ストロボ撮影システム、ストロボ装置及びカメラに関するものである。
【背景技術】
【０００２】
一般にストロボの照射角特性を示すのに、照射可能なレンズ焦点距離が用いられている。例えば、３５ｍｍレンズカバーという表示がなされている。これは画面サイズが１３５フィルムを前提として、ストロボ装置（以下、単にストロボとも記す）の照射特性が上下約３８°、左右約５４°の画角をカバーしていることを示している。しかしながら、画面全体を均一に照射しているのではなく、ストロボ発光部の上（約１９度）、下（約１９度）、左（約２７度）、右（約２７度）の角度における光量がストロボの発光光軸上の光量に対してマイナス１段（光量が５０％）以上であることを満足していることを示しているに過ぎない。
【０００３】
ここで、図１４の四角の枠は撮影画面を表している。実際に撮影画面に照射される光量の分布は対角方向の光量落ちが定義されていないこと、所謂コサイン４乗則の影響もあり、中心から離れるほど光量が減少する。等高線状になっている線を示している段数は画面中心からのストロボの照射光量の落ちを示している。図１４からも明らかなように、撮影画面の四隅は光量の落ちが２段以上になることがある。よって、被写体が画面中心付近にある場合は特に問題とならないが、被写体が画面の周辺に位置する場合は露出がアンダーになり、良好な撮影結果が得られないことがあった。また、ズーム機能付きレンズのズーム状態を広角側に設定した場合や、画角が広くなるように構成されているレンズを用いた場合に光量落ちが生じ易い。特に電子スチルカメラはフィルムカメラに比べ撮像素子のダイナミックレンジが狭く、画面周辺のストロボ光の光量落ちが問題となることがあった。このような光量落ちの影響を補償するための技術が特許文献１により既に提案されている。この特許文献１に開示された技術は、ストロボを用いた撮影時の光量分布に基づいて、撮像されたデータを補正する光量分布補正テーブルを備え、該光量分布補正テーブルによって撮像されたデータを補正するというものである。
【特許文献１】特開２００３−８７６５３号公報
【発明の開示】
【発明が解決しようとする課題】
【０００４】
しかしながら、上記特許文献１の従来技術を用いて光量落ちの補正を行うと、露出は適性値に補正されるが、画質は改善されないという欠点があった。これは、光量分布補正テーブルを用いて補正した部位における撮像素子のリニアリティが悪く、適正な補正がなされないことが原因となっている。この光量落ちによる画質の低下は、一般的な画質にて撮影される場合はユーザーが気になるレベルではないが、より高い画質にて撮影された場合には気にかけるユーザーも現れることが考えられる。
【０００５】
（発明の目的）
本発明の目的は、ストロボを用いた撮影時に適切な照射角で撮影を行うことができるストロボ撮影システム、ストロボ装置及びカメラを提供しようとするものである。
【課題を解決するための手段】
【０００６】
上記目的を達成するために、請求項１に記載の発明は、撮影レンズの焦点距離情報に応じてストロボ光の照射角を変更する照射角可変手段と、撮影画質を選択する撮影画質選択手段と、を有するストロボ撮影システムにおいて、前記照射角可変手段が、前記撮影レンズの焦点距離情報に加えて、前記撮影画質選択手段による選択結果に応じて前記ストロボ光の照射角を変更するストロボ撮影システムとするものである。
【０００７】
同じく上記目的を達成するために、請求項７に記載の発明は、撮影レンズの焦点距離に応じてストロボ光の照射角を制御する照射角可変手段と、外光輝度を測定する外輝度測定手段と、前記外光輝度の測光結果に基づいてストロボ光寄与率を決定するストロボ光寄与率手段と、を有し、前記照射角可変手段が、前記撮影レンズの焦点距離情報に加えて、前記ストロボ光寄与率の決定結果に応じて前記ストロボ光の照射角を変更するストロボ撮影システムとするものである。
【０００８】
同じく上記目的を達成するために、請求項９に記載の発明は、撮影レンズの焦点距離情報に応じてストロボ光の照射角を変更する照射角可変手段を有するストロボ装置において、前記照射角可変手段が、前記撮影レンズの焦点距離情報に加えて、撮影画質を示す撮影画質情報に応じて前記ストロボ光の照射角を変更するストロボ装置とするものである。
【０００９】
同じく上記目的を達成するために、請求項１２に記載の発明は、撮影レンズの焦点距離情報に応じてストロボ光の照射角を制御する照射角制御手段を有するストロボ装置において、前記照射角可変手段が、前記撮影レンズの焦点距離情報に加えて、外光輝度の測光結果に基づいて決定されたストロボ光寄与率情報に応じて前記ストロボ光の照射角を変更するストロボ装置とするものである。
【００１０】
同じく上記目的を達成するために、請求項１４に記載の発明は、撮影レンズの焦点距離情報に応じてストロボ光の照射角を変更する照射角可変手段と、画質モードを選択する画質モード選択手段と、を有するストロボ装置において、前記照射角可変手段が、前記画質モード選択手段により選択された画質モードに応じて照射角を変更するストロボ装置とするものである。
【００１１】
同じく上記目的を達成するために、請求項１５に記載の発明は、ストロボ装置へ撮影レンズの焦点距離情報を出力するカメラにおいて、前記焦点距離に対応した照射角を変更させるために、前記ストロボ装置へ焦点距離情報と撮影画質を示す撮影画質情報を出力するカメラとするものである。
【００１２】
同じく上記目的を達成するために、請求項１６に記載の発明は、ストロボ光の照射角を変更する照射角可変手段を有するストロボ装置と接続可能なカメラであって、撮影画質を選択する撮影画質選択手段と、前記撮影レンズの焦点距離情報に加えて、前記撮影画質選択手段による選択結果に応じて前記ストロボ光の照射角を設定するストロボ照射角設定手段と、前記ストロボの照射角を前記ストロボ装置に送信する送信手段と、を有するカメラとするものである。
【００１３】
同じく上記目的を達成するために、請求項１８に記載の発明は、ストロボ光の照射角を変更する照射角可変手段を有するストロボ装置と接続可能なカメラであって、外光輝度を測定する外輝度測定手段と、前記外光輝度の測光結果に基づいてストロボ光寄与率を決定するストロボ光寄与率手段と、前記撮影レンズの焦点距離情報に加えて、前記ストロボ光寄与率の決定結果に応じて前記ストロボ光の照射角を設定するストロボ照射角設定手段と、前記ストロボの照射角を前記ストロボ装置に送信する送信手段と、を有するカメラとするものである。
【発明の効果】
【００１４】
本発明によれば、ストロボを用いた撮影時に適切な照射角で撮影を行うことができるストロボ撮影システム、ストロボ装置又はカメラを提供できるものである。
【発明を実施するための最良の形態】
【００１５】
本発明を実施するための最良の形態は、以下に記載した実施例１ないし実施例６に示す通りである。
【実施例１】
【００１６】
図１は本発明の実施例１に係わるストロボ撮影システムの回路構成を示すブロック図である。同図において、１はカメラ、２はカメラ１に着脱可能な焦点距離を変更できるレンズ、３はストロボ光の照射角を可変できるストロボ（ストロボ装置）である。
【００１７】
先ず、レンズ２内の構成について述べる。４は焦点距離を変更することのできる撮影レンズ、５は絞りである。６はレンズ制御部であり、カメラ１より得られた絞り値で絞り５を制御し、カメラ１からの指示により焦点を合わせるために撮影レンズ４を制御し、また撮影レンズ４の焦点距離情報をカメラ１に伝達する。以上のカメラ１とレンズ２の情報のやり取りは、複数の端子から成る端子１５を介して行われる。
【００１８】
次に、カメラ１内の構成について述べる。７はシャッタである。８は撮像素子であり、後述のシステム制御部１４により制御される。９は画像処理部であり、システム制御部１４からの指示により撮像素子８からの被写体像に対応した信号を処理し、処理した信号を後述のバッファメモリ１０に送る。１０はバッファメモリであり、画像処理部９で処理された信号をシステム制御部１４からの指示により一時的に記憶し、システム制御部１４の指示により信号として後述のメモリ制御部１１に出力する。１１はメモリ制御部であり、後述の入力部１７で入力された画像サイズ（ラージ、ミドル及びスモールサイズを有する）及び圧縮率（ノーマルと低圧縮率のファインを有する）でバッファメモリ１０からの信号を処理し、後述の外部メモリ１３に出力すると共に前記処理された内容を該外部メモリ１３に記憶させる。また、メモリ制御部１１はシステム制御部１４からの指示により外部メモリ１３に記憶された画像情報を読み出し、後述の表示部１８に画像を表示することもできる。１２は外部メモリ１３とメモリ制御部１１を接続する接続端子である。１４はシステム制御部であり、カメラ全体のシステムを制御する。１７は撮影画質選択手段を成す入力部であり、カメラ１の画質（詳しくは、画像サイズあるいは圧縮率）の選択や各種カメラのモードを入力できる。１８は表示部であり、画質の表示や各種カメラのモード及び画像の表示をすることが可能である。１９は操作部であり、複数のスイッチより構成されていて、少なくとも、不図示の電源スイッチ、レリーズスイッチ等を含んでいる。１６はカメラ１側の端子であり、ストロボ３との信号の伝達を行い、複数の端子から構成されている。
【００１９】
次に、ストロボ３内の構成について述べる。２０はストロボ３に設けられた端子であり、カメラ１との信号の伝達を行い、複数の端子から構成されている。２１はストロボシステム制御部であり、後述の発光部２４の照射角の制御、発光制御、後述のストロボ表示部２３による表示等の制御を行う。２２はストロボ入力部であり、照射角に関するモードの設定を行うことができる。２３はＬＣＤによって構成されるストロボ表示部であり、焦点距離情報、ガイドナンバ、各種モード等を表示することができる。２４は発光部であり、ストロボシステム制御部２１からの指示により矢印２６のようにフレネルレンズ２５に対して該発光部２４を前後に移動し、照射角を制御する。ストロボシステム制御部２１及び発光部２４が照射角可変手段に相当する。
【００２０】
次に、上記構成のストロボ撮影システムの動作について、図２及び図３を用いて詳述する。
【００２１】
まず、図２（ａ）のフローチャートを用いて、カメラ１の撮影画像の画像サイズ及び圧縮率の設定時について説明する。
【００２２】
ステップＳ１０１はカメラ１の電源のオン状態であり、ステップＳ１０２にて、使用者により操作部１９の不図示の操作ボタンにより画像サイズ・圧縮率選択モードが選択された事を検知すると、次のステップＳ１０３にて、入力部１７により選択される画像サイズを設定する。画像サイズは、ラージ、ミドル、スモールの３種類あり、ここではラージサイズを選択されたものとする。また、入力部１７により選択される圧縮率を設定する。圧縮率は低圧縮率のファインと高圧縮率のノーマルがあり、ここではファインを選択されたものとする。上記選択された画像サイズ・圧縮率選択モードの設定を終了すると、画像サイズ・圧縮率選択モードを解除（ステップＳ１０４）し、スタートの状態に戻る（ステップＳ１０５）。以上により、このときの画面サイズと圧縮率は上記ステップＳ１０３で設定された状態となっている。
【００２３】
次に、図２（ｂ）を用いて、カメラ１の撮影動作について述べる。
【００２４】
ステップＳ１１１は、図２（ａ）で説明した画像サイズと圧縮率が設定されている状態である。この状態からステップＳ１１２ヘ進み、不図示のシャッタボタンの半押しでオンとなるスイッチＳＷ１がオンであるかを判定し、オフであればオンになるまでこのステップで待機する。その後、スイッチＳＷ１がオンするとステップＳ１１３へ進み、ここではストロボ３から発光準備完了信号が入力しているか否かを判定し、発光準備完了状態であればステップＳ１１４へ進み、発光準備完了状態にない時はステップＳ１２２に進む。
【００２５】
ストロボ３が発光準備完了状態であるとしてステップＳ１１４ヘ進むと、レンズ１より撮影レンズ４の焦点距離を入力する。ここでは撮影レンズ４の焦点距離は３６ｍｍとするそして、ステップＳ１１５にて、撮影レンズ４の焦点距離「３６ｍｍ」をストロボ３に出力する。次のステップＳ１１６では、画像サイズが「ラージサイズ」であることをストロボ３に出力する。続くステップＳ１１７では、圧縮率が「ファイン」であることをストロボ３に出力する。
【００２６】
次のステップＳ１１８では、不図示の測光手段でＡＥ（自動露出）に用いるシャッタスピード及び絞り値を決定する。また、不図示のオートフォーカス（ＡＦ）手段で合焦状態に制御する。そして、次のステップＳ１１９にて、不図示のシャッタボタンの全押しでオンとなるスイッチＳＷ２がオンであるかを判定し、オフであればスイッチＳＷ２がオンするまでこのステップに待機する。その後、スイッチＳＷ２がオンするとステップＳ１２０へ進み、ストロボ撮影動作を実行するとともに撮像した画像データを外部メモリ１３に記憶する。そして、次のステップＳ１２１にて、一連の動作を終了する。
【００２７】
上記ステップＳ１１３にてストロボ３が発光準備完了状態でないと判定した場合は、ステップＳ１２２へ進み、自然光による撮影処理（詳細は本発明とは直接関係しないので説明は省略する。）実行し、次のステップＳ１２３にて、一連の動作を終了する。
【００２８】
次に、ストロボ３での動作について、図２（ｃ）のフローチャート及び図３を用いて説明する。
【００２９】
ステップＳ２０１は、ストロボ３の不図示の電源スイッチがオンとなっており、不図示の発光用メインコンデンサの充電が開始され、発光準備完了信号を既にカメラ１に出力している状態である。この状態において、先ずステップＳ２０２にて、撮影レンズ４の焦点距離情報をカメラ１から入力する。ここでは撮影レンズ４の焦点距離は３６ｍｍである。次のステップＳ２０３では、ストロボシステム制御部２１内の図３の内容を保持した不図示のテーブルにしたがった表示焦点距離をストロボ表示部２３に表示する。すなわち、撮影レンズ４の焦点距離が３６ｍｍであるので、この際は図３より３５ｍｍがストロボ表示部２３に表示されることになる。図３の内容については後で詳述する。
【００３０】
次のステップＳ２０４では、画像サイズをカメラ１から入力する。ここでは画像サイズはラージサイズである。続くステップＳ２０５では、圧縮率をカメラ１から入力する。ここでは圧縮率はファインである。そして、ステップＳ２０６にて、ストロボ表示部２３に画像サイズ及び圧縮率の情報を表示する。不図示ではあるが、「ラージ」、「ファイン」と表示される。次のステップＳ２０７では、制御照射角を前記テーブルより読み出す。制御照射角とは、高画質を要求しない場合に、ユーザーにとってストロボの照射による周辺光量落ちが気にならない画質を維持できるレンズ焦点距離のことである。画像サイズがラージであり、圧縮率がファインであるので、高画質モードとなり、２８ｍｍが読み出される。続くステップＳ２０８では、照射角２８ｍｍの時のガイドナンバは「３０」となるのでストロボ表示部２３に「３０」と表示する。但しこの時、ストロボ表示部２３の表示焦点距離は変更されない。次のステップＳ２０９では、発光部２４を２８ｍｍに対応する照射角になるように制御する。そして、ステップＳ２１０にて、カメラ１からの発光指示にしたがって発光及び発光制御を行い、次のステップＳ２１１にて、一連の動作を終了する。
【００３１】
ここで、図３に示した内容について以下に説明する。
【００３２】
図３の左端のレンズ焦点距離は、カメラ１よりストロボ３が受け取った撮影レンズ４の焦点距離情報である。表示焦点距離は、ストロボ表示部２３に表示される焦点距離であり、撮影レンズ４の焦点距離あるいはそれよりワイド側の焦点距離が表示される。これは、撮影者が撮影時の大まかなレンズ焦点距離を知ることに役立つ。また、制御照射角がステップ的に制御されるので、表示焦点距離もステップ的に変化する。前記制御照射角は、実際に制御されるストロボの照射角であり、既に述べたように一般的に定義されている照射角を示している。低画質モード時においては、表示焦点距離に対して前記一般的に定義されている照射角に制御されるので、表示焦点距離と制御照射角は一致している。なお、ガイドナンバは制御照射角に対応して変化し、制御照射角の数値が大きい程、照射角は狭くなり、ガイドナンバは大きくなる。ガイドナンバは撮像素子８の感度に応じて変化するが、図３では前記感度は一定とする。
【００３３】
図３からも明らかなように、画質が高くなるモードほど、撮影レンズ４の焦点距離より制御照射角のカバーできる焦点距離が小さくなっており、照射角は広くなるので、より良い画質の画像を得ることができる。
【００３４】
また、各画質モードにおいて、撮影レンズ４の焦点距離に対応して適切に照射角を制御できない場合はストロボ表示部２３における表示焦点距離の表示を点滅し、警告する。図３の、表示焦点距離の数値の後の括弧内に「警告」と記している場合が上記に相当する。なお、図３において、表示焦点距離をステップ的に表示しているが、撮影レンズ４の焦点距離をそのまま表示しても良い。また、制御照射角をステップ的に制御しているが、連続的に制御しても良い。
【実施例２】
【００３５】
次に、本発明の実施例２に係わるストロボ撮影システムについて説明する。なお、ストロボ撮影システムの回路構成は実施例１（図１）と同様であるものとする。また、カメラ１での動作は、実施例１における図２（ａ）及び図２（ｂ）のフローチャートと同様であるのでその説明は省略する。
【００３６】
本発明の実施例２におけるストロボ３での動作について、図４のフローチャート及び図５を用いて説明する。
【００３７】
ステップＳ３０１は、ストロボ３の不図示の電源スイッチがオンとなっており、不図示の発光用メインコンデンサの充電が開始され、発光準備完了信号を既にカメラ１に出力している状態である。この状態からステップＳ３０２へ進み、撮影レンズ４の焦点距離情報をカメラ１から入力する。ここでは撮影レンズ４の焦点距離は３６ｍｍである。次のステップＳ３０３では、画像サイズをカメラ１から入力する。ここでは画像サイズはラージサイズである。続くステップＳ３０４では、圧縮率をカメラ１から入力する。ここでは圧縮率はファインである。そして、次のステップＳ３０５にて、ストロボシステム制御部２１内の図５（ａ）及び図５（ｂ）の内容を保持した不図示のテーブルにしたがった表示焦点距離をストロボ表示部２３に表示する。すなわち、撮影レンズ４の焦点距離が３６ｍｍであり、高画質モードであるので、図５（ｂ）より３５ｍｍがストロボ表示部２３に表示される。図５については後で詳述する。
【００３８】
次のステップＳ３０６では、ストロボ表示部２３に画像サイズ及び圧縮率の情報、すなわち「ラージ」と「ファイン」を表示する。続くステップＳ３０７では、焦点距離補正値を前記テーブルより読み出し、レンズ焦点距離に焦点距離補正値を加算し、加算した結果より制御照射角を決定する。ここでは、図５（ｂ）からも解かるようにレンズ焦点距離は３６ｍｍであり、焦点距離補正値は−５ｍｍであるので、補正焦点距離は３１ｍｍとなり、それに対応して制御照射角が２８ｍｍと決定される。次のステップＳ３０８では、前記テーブルより制御照射角２８ｍｍの時のガイドナンバ「２５」を読み出し、ストロボ表示部２３に表示する。但しこの時、ストロボ表示部２３の表示焦点距離情報は変更されない。次のステップＳ３０９では、発光部２４を２８ｍｍに対応する制御照射角になるように制御する。そして、ステップＳ３１０にて、カメラ１からの発光指示にしたがって発光及び発光制御を実行し、次のステップＳ３１１にて、一連の動作を終了する。
【００３９】
次に、図５に示した内容について説明する。
【００４０】
図５（ａ）は通常画質モードの場合に適用される図であり、図５（ｂ）は高画質モードの場合に適用される図である。レンズ焦点距離は、カメラ１からストロボ３に送られる撮影レンズ４の焦点距離である。表示焦点距離とは、ストロボ表示部２３に表示される焦点距離であり、撮影レンズ４の焦点距離あるいはそれよりワイド側の焦点距離が表示される。これは撮影者が撮影時の大まかなレンズ焦点距離を知ることに役立つ。また、制御照射角がステップ的に制御されるので、表示焦点距離もステップ的に変化するように設定してある。制御照射角は実際に制御されるストロボの照射角で、既に述べたように一般的に定義されている照射角を示している。通常画質モード時においては、表示焦点距離に対して前記一般的に定義されている照射角に制御されるので、表示焦点距離と制御照射角は一致している。なお、ガイドナンバは制御照射角に対応して変化し、制御照射角の数値が大きい程、照射角は狭くなり、ガイドナンバは大きくなる。ガイドナンバは撮像素子８の感度に応じて変化するが、図５では前記感度は一定とする。
【００４１】
図５からも明らかなように、高画質モードでは通常画質モードに比較して同じ撮影レンズ４の焦点距離でも、高画質モードの方が制御照射角のカバーできる焦点距離の値が小さくなっている、すなわち照射角が広くなる。したがって、高画質モードの方が周辺光量落ちの影響が少なく、より良い画質の画像を得ることができる。
【００４２】
また、各画質モードにおいて、撮影レンズ４の焦点距離に対応して適切に照射角を制御できない場合はストロボ表示部２３における表示焦点距離の表示を点滅し、警告する。図５においては表示焦点距離の数値の後の括弧内に「警告」と記している場合が上記に相当する。なお、図５において、表示焦点距離をステップ的に表示しているが、撮影レンズ４の焦点距離をそのまま表示しても良い。また、制御照射角をステップ的に制御しているが、連続的に制御しても良い。
【実施例３】
【００４３】
次に、本発明の実施例３に係わるストロボ撮影システムについて説明する。なお、ストロボ撮影システムの回路構成は実施例１（図１）と同様であるものとする。また、カメラ１での図６（ａ）に示す撮影画像の画像サイズ及び圧縮率の設定に関するステップＳ４０１〜Ｓ４０５での動作は、実施例１における図２（ａ）のステップＳ１０１〜Ｓ１０５のフローチャートと同様であるのでその説明は省略する。
【００４４】
先ず、本発明の実施例２におけるカメラ１での撮影動作について、図６（ｂ）のフローチャートにより説明する。
【００４５】
ステップＳ４１１は、図６（ａ）での動作にて画像サイズと圧縮率が設定されている状態である。この状態からステップＳ４１２へ進み、不図示のシャッタボタンの半押しでオンとなるスイッチＳＷ１がオンであるかを判定し、オフであればオンになるまでこのステップで待機する。その後、スイッチＳＷ１がオンするとステップＳ４１３へ進み、ここではストロボ３から発光準備完了信号が入力し、発光準備完了状態であればステップＳ４１４へ進み、発光準備完了状態にない時はステップＳ４２３に進む。
【００４６】
ストロボ３が発光準備完了状態であるとしてステップＳ４１４ヘ進むと、レンズ１より撮影レンズ４の焦点距離を入力する。ここでは撮影レンズ４の焦点距離は３６ｍｍである。そして、ステップＳ４１５にて、撮影レンズ４の焦点距離３６ｍｍをストロボ３に出力する。次のステップＳ４１６では、画像サイズ及び圧縮率で決まる画質モードに応じて焦点距離補正値をカメラ１のシステム制御部１４内の不図示のテーブルより読み出し、その焦点距離補正値をストロボ３に出力する。前記テーブルには前述の図５（ａ）及び図５（ｂ）の内容が保持されているものとする。ここではレンズ焦点距離が３６ｍｍであり、画像サイズが「ラージ」、圧縮率が「ファイン」であるので高画質モードであり、焦点距離補正値は−５ｍｍとなる。この値がストロボ３に出力される。続くステップＳ４１７では、画像サイズがラージサイズであることをストロボ３に出力する。そして、次のステップＳ４１８では、圧縮率がファインであることをストロボ３に出力する。
【００４７】
次のステップＳ４１９では、不図示の測光手段でＡＥに用いるシャッタスピード及び絞り値を決定する。また、不図示のオートフォーカス手段で合焦状態に制御する。そして、次のステップＳ４２０にて、不図示のシャッタボタンの全押しでオンとなるスイッチＳＷ２がオンであるかを判定し、オフであればスイッチＳＷ２がオンするまでこのステップに待機する。その後、スイッチＳＷ２がオンすればステップＳ４２１へ進み、ストロボ撮影動作を実行するとともに撮像した画像データを外部メモリ１３に記憶する。そして、次のステップＳ４２２にて、一連の動作を終了する。
【００４８】
上記ステップＳ４１３にてストロボ３が発光準備完了状態でないと判定した場合は、ステップＳ４２３へ進み、自然光による撮影処理（詳細は本発明とは直接関係しないので説明は省略する。）を実行し、次のステップＳ４２４にて、一連の動作を終了する。
【００４９】
次に、ストロボ３での動作について、図６（ｃ）のフローチャートにより説明する。
【００５０】
ステップＳ５０１は、ストロボ３の不図示の電源スイッチがオンとなっており、不図示の発光用メインコンデンサの充電が開始され、発光準備完了信号を既にカメラ１に出力している状態である。この状態において、先ずステップＳ５０２にて、撮影レンズ４の焦点距離情報をカメラ１から入力する。ここでは撮影レンズ４の焦点距離は３６ｍｍである。次のステップＳ５０３では、図６（ｂ）のステップＳ４１６に記した補正焦点距離をカメラ１から入力する。
【００５１】
次のステップＳ５０４では、画像サイズをカメラ１から入力する。ここでは画像サイズはラージサイズである。続くステップＳ５０５では、圧縮率をカメラ１から入力する。ここでは圧縮率はファインである。そして、次のステップＳ５０６にて、ストロボ表示部２３に画像サイズ及び圧縮率を表示、つまり「ラージ」と「ファイン」を表示する。次のステップＳ５０７では、ストロボシステム制御部２１内の図５（ａ）及び図５（ｂ）の内容を保持した不図示のテーブルにしたがった表示焦点距離をストロボ表示部２３に表示する。すなわち、撮影レンズ４の焦点距離が３６ｍｍであり、高画質モードであるので、図５（ｂ）より３５ｍｍがストロボ表示部２３に表示される。
【００５２】
次のステップＳ５０８では、上記ステップＳ５０２で入力した焦点距離「３６ｍｍ」と上記ステップＳ５０３で入力した焦点距離補正値「−５ｍｍ」とを加算し、補正焦点距離を求める。ここでは補正焦点距離は３１ｍｍとなり、これに対応して制御照射角が２８ｍｍと決定される。続くステップＳ５０９では、図５（ｂ）から解かるように制御照射角２８ｍｍの時のガイドナンバは「２５」であるのでこれをストロボ表示部２３に表示する。但しこの時、ストロボ表示部２３の表示焦点距離情報は変更しない。そして、次のステップＳ５１０にて、発光部２４を２８ｍｍに対応する制御照射角になるように制御する。続くステップＳ５１１では、カメラ１からの発光指示にしたがって発光及び発光制御を行い、ステップＳ５１２にて、一連の動作を終了する。
【００５３】
上記の実施例３と前述した実施例２との差は、焦点距離補正値を、実施例２ではストロボ３で読み出していた（図４のステップＳ３０７）ものを、本実施例３ではカメラ１で読み出している（図６のステップＳ４１６）ところにある。結果として、ストロボ表示部２３に表示される内容及び制御される照射角は全く同じである。なお、図５（ａ）及び図５（ｂ）の説明については前述した実施例２と同じなのでここでは省略する。
【実施例４】
【００５４】
次に、本発明の実施例４に係わるストロボ撮影システムについて説明する。なお、ストロボ撮影システムの回路構成は実施例１（図１）と同様であるものとする。また、カメラ１での動作は、実施例１における図２（ａ）及び図２（ｂ）のフローチャートと同様であるのでその説明は省略する。
【００５５】
本発明の実施例４におけるストロボ３での動作について、図７のフローチャート及び図８を用いて説明する。
【００５６】
ステップＳ６０１は、ストロボ３の不図示の電源スイッチがオンとなっており、不図示の発光用メインコンデンサの充電が開始され、発光準備完了信号を既にカメラ１に出力している状態である。この状態からステップＳ６０２へ進み、撮影レンズ４の焦点距離情報をカメラ１から入力する。ここでは撮影レンズ４の焦点距離情報は３６ｍｍである。次のステップＳ６０３では、ストロボシステム制御部２１内の図８（ａ）及び図８（ｂ）に示す内容を保持した不図示のテーブルにしたがって、レンズ焦点距離が３６ｍｍであるので表示焦点距離３５ｍｍをストロボ表示部２３に表示する。図８については後述する。続くステップＳ６０４では、画像サイズをカメラ１から入力する。ここでは画像サイズはラージサイズである。そして、次のステップＳ６０５にて、圧縮率をカメラ１から入力する。ここでは圧縮率はファインである。
【００５７】
次のステップＳ６０６では、前記テーブルよりレンズ焦点距離に対応したシフトステップを読み出す。ここでは、高画質モードであるから、焦点距離が３６ｍｍなのでシフトステップは−１になる。これは、通常画質モードでは３６ｍｍの場合、照射角は３５ｍｍカバーで制御されるが、シフトステップが−１であるので後述するが広角側に１ステップシフトした２８ｍｍレンズカバーで照射角を制御する。続くステップＳ６０７では、前記テーブルよりガイドナンバを読み出し、表示する。ここでは、制御照射角が２８ｍｍカバーであるのでガイドナンバは「２５」となる。そして、次のステップＳ６０８にて、前記テーブルにしたがって２８ｍｍカバーの制御照射角で照射角を制御する。続くステップＳ６０９では、カメラ１からの発光指示にしたがって発光及び発光制御を行い、ステップＳ６１０にて、一連の動作を終了する。
【００５８】
ここで、図８（ａ）及び図８（ｂ）の内容について説明する。図８（ａ）は通常画質モード時のレンズ焦点距離とそれに対応するストロボ３のストロボ表示部２３に表示される表示焦点距離、シフトステップ、制御照射角、ガイドナンバを示している。ここで通常画質モードとは、画像サイズ／圧縮率がスモール／ノーマル、スモール／ファイン、ミドル／ファイン及びミドル／ノーマルである。図８（ａ）で明らかなように、照射角はステップ的に制御される。シフトステップは通常画質モード時における表示焦点距離に対する制御照射角を何ステップシフトするかを示しており、通常画質モードでは当然シフトステップは０となる。
【００５９】
図８（ｂ）は画像サイズ／圧縮率がラージ／ファインの高画質モード時のレンズ焦点距離に対する表示焦点距離、シフトステップ、制御照射角及びガイドナンバを示している。図８（ｂ）からも明らかなように、高画質モードの時はシフトステップが−１となっており、通常画質モードの時と同じ焦点距離のレンズを用いた時に比べ、１ステップ広角側の照射角で制御されるのが解る。
【００６０】
ここでは、高画質モードのシフトステップを−１のみとしたが、撮影レンズ２の焦点距離に応じてシフトステップを変えることも可能である。また、画質モードを低画質モード、中画質モード及び高画質モードを設け画質モードに応じてシフトステップを変えることも可能である。
【００６１】
本実施例４においても、高画質モードの時は通常画質モードの時に比べ、同じ焦点距離のレンズを使用した場合、広角側に照射角が制御されるので、画質の良い画像を得ることができる。
【実施例５】
【００６２】
次に、本発明の実施例５に係わるストロボ撮影システムについて説明する。なお、ストロボ撮影システムの回路構成は実施例１（図１）と同様であるものとする。また、カメラ１での撮影画像の画像サイズ及び圧縮率の設定に関しての動作は、実施例１における図２（ａ）と同様であるのでその説明は省略する。
【００６３】
先ず、本発明の実施例５におけるカメラ１での撮影動作について、図９（ａ）のフローチャートにより説明する。
【００６４】
ステップＳ７０１は、画像サイズと圧縮率が設定されている状態である。この状態からステップＳ７０２へ進み、不図示のシャッタボタンの半押しでオンとなるスイッチＳＷ１がオンであるかを判定し、オフであればオンになるまでこのステップで待機する。その後、スイッチＳＷ１がオンするとステップＳ７０３へ進み、ここではストロボ３から発光準備完了信号を入力し、発光準備完了状態であればステップＳ７０４へ進み、発光準備完了状態にない時はステップＳ７１０に進む。
【００６５】
ストロボ３が発光準備完了状態であるとしてステップＳ７０４ヘ進むと、レンズ１より撮影レンズ４の焦点距離を入力する。ここでは撮影レンズ４の焦点距離は３６ｍｍである。そして、ステップＳ７０５にて、撮影レンズ４の焦点距離をストロボ３に出力する。上述したように、ここでは３６ｍｍである。次のステップＳ７０６では、不図示の測光手段でＡＥに用いるシャッタスピード及び絞り値を決定する。また、不図示のオートフォーカス手段で合焦状態に制御する。続くステップＳ７０７では、不図示のシャッタボタンの全押しでオンとなるスイッチＳＷ２がオンであるかを判定し、オフであればスイッチＳＷ２がオンするまでこのステップに待機する。その後、スイッチＳＷ２がオンするとステップＳ７０８へ進み、ストロボ撮影動作を実行するとともに撮像した画像データを外部メモリ１３に記憶する。そして、次のステップＳ７０９にて、一連の動作を終了する。
【００６６】
上記ステップＳ７０３にてストロボ３が発光準備完了状態でないと判定した場合は、ステップＳ７１０へ進み、自然光による撮影処理（詳細は本発明とは直接関係しないので説明は省略する）を実行し、次のステップＳ７１１にて、一連の動作を終了する。
【００６７】
次に、ストロボ３での照射角モードの設定について動作について、図９（ｂ）のフローチャートにより説明する。
【００６８】
ステップＳ８０１は、ストロボ３の不図示の電源スイッチがオンとなっている状態である。この状態からステップＳ８０２へ進み、使用者によりストロボ入力部２２で照射角モードの設定モードが選択されたことを検知するとステップＳ８０３ヘ進み、ストロボ入力部２２にて選択される照射角モードを設定する。照射角モードは通常モードと高画質モードを有する。ここでは、高画質モードが選択されたものとして該高画質モードを設定するとともに該高画質モードをストロボ表示部２３に表示する。なお、通常モードが選択された際には照射角モードを表示しなくても良い。そして、ステップＳ８０４にて、照射角モードの設定モードを解除し、次のステップＳ８０５にて、スタート時の状態に戻る。
【００６９】
次に、ストロボ３での動作について、図９（ｃ）のフローチャート及び図１０を用いて説明する。
【００７０】
ステップＳ８１１は、ストロボ３の不図示の電源スイッチがオンとなっており、不図示の発光用メインコンデンサの充電が開始され、発光準備完了信号を既にカメラ１に出力している状態である。また、前述の様に照射角モードは高画質モードに設定されている。この状態からステップＳ８１２へ進み、撮影レンズ４の焦点距離情報をカメラ１から入力する。ここでは撮影レンズ４の焦点距離情報は３６ｍｍである。次のステップＳ８１３では、ストロボシステム制御部２１にある図１０（ａ）及び図１０（ｂ）に示す内容を保持した不図示テーブルにしたがったストロボ３内の表示焦点距離をストロボ表示部２３に表示する。この際は撮影レンズ４の焦点距離が３６ｍｍであるので、図１０（ｂ）より表示焦点距離が３５ｍｍレンズが表示される。
【００７１】
次のステップＳ８１４では、前記テーブルにしたがい、ガイドナンバ２５をストロボ表示部２３に表示する。そして、次のステップＳ８１５にて、前記テーブルにしたがい、制御照射角を２８ｍｍレンズカバーに制御する。続くステップＳ８１６では、カメラ１からの発光指示にしたがって発光及び発光制御を行い、次のステップＳ８１７にて、一連の動作を終了する。
【００７２】
ここで、図１０（ａ）及び図１０（ｂ）の内容について説明する。図１０（ａ）は通常モードの時を示すものであり、撮影レンズ４の焦点距離であるレンズ焦点距離に対応してストロボ表示部２３に表示される表示焦点距離、前記一般的に定義されている制御照射角、該制御照射角に対応したガイドナンバを記している。例えば、撮影レンズ４の焦点距離が２５ｍｍであった時は表示焦点距離は２４ｍｍとなり、２４ｍｍ及びその時のガイドナンバ２３がストロボ表示部２３に表示される。撮影レンズ４の焦点距離が２０ｍｍであった時は表示焦点距離は２４ｍｍとなるが、制御できる照射角は２４ｍｍまでなので２４ｍｍの表示が点滅し、適正にストロボの発光が被写体を照射できないことを撮影者に警告する。
【００７３】
図１０（ｂ）は高画質モードの時を示すものであり、撮影レンズ４の焦点距離であるレンズ焦点距離に対応してストロボ表示部２３に表示される表示焦点距離、制御照射角、該制御照射角に対応したガイドナンバを記している。図１０（ｂ）において、レンズ焦点距離が２５ｍｍ以下の時は表示焦点距離が２４ｍｍとなり、図１０（ａ）の説明と同様に、ストロボ表示部２３に表示された２４ｍｍが点滅し、警告する。
【００７４】
図１０（ａ）及び図１０（ｂ）からも明らかなように、高画質モードをストロボ３で選択した場合は同じレンズ焦点距離でも照射角は通常モードより広くなり、より良い画質がえられることが解かる。前述した様にストロボシステム制御部２１内のテーブルは図１０（ａ）及び図１０（ｂ）が実現できるように作成されている。
【００７５】
以上の図９のフローからも明らかな様に、カメラ１に設定された画質に応じてストロボ３の画質モードを選択することができる。また、カメラ１で設定された画質にかかわらず画質モードを設定することもできる。例えば、カメラ１が高画質モードであっても、ガイドナンバを優先したい場合は通常モードを設定することもできる。
【実施例６】
【００７６】
次に、本発明の実施例６に係わるストロボ撮影システムについて説明する。なお、ストロボ撮影システムの回路構成は実施例１（図１）と同様であるものとする。
【００７７】
本発明の実施例６は、ストロボ撮影において、自然光輝度によりストロボ光と自然光の露光の割合を変化させている露光システムに着目したものである。一般的に前記のような露光システムにおいては自然光が低輝度程ストロボ光の割合が大きく、暗黒では１００％である。また、高輝度程自然光の割合が大きく、逆にストロボ光の割合が少なく、４０％あるいはそれ以下である。当然のことながらストロボ光の割合が大きい低輝度程、撮影画面周辺での光量落ちが目立つことになる。逆に高輝度の場合は、自然光により撮影画面の周辺での光量落ちが目立たなくなる。
【００７８】
上記より、本発明の実施例６では、自然光が低輝度な時はガイドナンバより照射角を優先し、高輝度になる程、照射角よりガイドナンバを優先したストロボ撮影システムとするものである。
【００７９】
本発明の実施例６におけるカメラ１での動作について、図１１（ａ）のフローチャート及び図１２（ａ）を用いて説明する。
【００８０】
ステップＳ９０１は、図６（ａ）での動作にて画像サイズと圧縮率が設定されている状態である。この状態からステップＳ９０２へ進み、不図示のシャッタボタンの半押しでオンとなるスイッチＳＷ１がオンであるかを判定し、オフであればオンになるまでこのステップで待機する。その後、スイッチＳＷ１がオンするとステップＳ９０３へ進み、ここではストロボ３から発光準備完了信号を入力し、発光準備完了状態であればステップＳ９０４へ進み、発光準備完了状態にない時はステップＳ９１３に進む。
【００８１】
ストロボ３が発光準備完了状態であるとしてステップＳ９０４ヘ進むと、レンズ１より撮影レンズ４の焦点距離を入力する。ここでは撮影レンズ４の焦点距離は３１ｍｍとするそして、ステップＳ９０５にて、撮影レンズ４の焦点距離３１ｍｍをストロボ３に出力する。次のステップＳ９０６では、不図示の測光手段で自然光輝度を測定する。測定結果はアペックス値でＢＶ２とする。続くステップＳ９０７では、システム制御部１４内の図１２（ａ）及び図１３に示す内容を保持した不図示のテーブルに基づいてストロボ発光の露光量に対する寄与率を決定する。自然光輝度に対するストロボ光の寄与率の詳細は、図１３に示す通りである。ストロボ光の割合はＢＶ２であるから、７０〜１００％の間の数値７５％となる。
【００８２】
次のステップＳ９０８では、前記テーブルより焦点距離補正値をストロボに出力する。自然光輝度がＢＶ２であるので焦点距離補正値は３１ｍｍ×０．１５＝４．６５となる。続くステップＳ９０９では、前記外光輝度に基づいてＡＥに用いるシャッタスピード及び絞り値を決定する。また、不図示のオートフォーカス手段で合焦状態に制御する。そして、ステップＳ９１０にて、不図示のシャッタボタンの全押しでオンとなるスイッチＳＷ２がオンであるかを判定し、オフであればオンになるまでこのステップで待機する。その後、スイッチＳＷ２がオンするとステップＳ９１１へ進み、ストロボ撮影動作を実行するとともに撮像された画像データを外部メモリ１３に記憶する。前述の様にストロボ光の寄与率は７５％で制御される。そして、次のステップＳ７１２にて、一連の動作を終了する。
【００８３】
上記ステップＳ９０３にてストロボ３が発光準備完了状態でないと判定した場合は、ステップＳ９１３へ進み、自然光による撮影処理（詳細は本発明とは直接関係しないので説明は省略する）を実行し、次のステップＳ９１４にて、一連の動作を終了する。
【００８４】
次に、ストロボ３での動作について、図１１（ｂ）のフローチャート及び図１２（ｂ）を用いて説明する。
【００８５】
ステップＳ１０１１は、ストロボ３の不図示の電源スイッチがオンとなっており、不図示の発光用メインコンデンサの充電が開始され、発光準備完了信号を既にカメラ１に出力している状態である。この状態よりステップＳ１０１２へ進み、撮影レンズ４の焦点距離情報をカメラ１から入力する。ここでは撮影レンズ４の焦点距離は３１ｍｍである。次のステップＳ１０１３では、撮影レンズ４の焦点距離情報をストロボ表示部２３に表示する。続くステップＳ１０１４では、焦点距離補正値を入力する。焦点距離補正値は前述のように４．６５ｍｍである。
【００８６】
次のステップＳ１０１５では、撮影レンズ４の焦点距離から焦点距離補正値を引き算し、補正後の焦点距離を算出する。算出結果は３１−４．６５＝２６．２５（ｍｍ）となる。そして、ストロボシステム制御部２１内の不図示のテーブルの図１２（ｂ）にしたがって制御照射角を決定する。決定された制御照射角は２６ｍｍとなる。続くステップＳ１０１６では、制御照射角に応じたガイドナンバをストロボ表示部２３に表示する。ここでは「２９」が表示される。この時、補正後焦点距離が２３ｍｍ以下の時は照射角制御の範囲外であるので前記表示されている焦点距離が点滅し、警告する。次のステップＳ１０１７にて、前記決定された制御照射角にしたがって照射角を制御する。続くステップＳ１０１８では、カメラ１からの発光指示にしたがって発光及び発光制御を行い、ステップＳ１０１９にて、一連の動作を終了する。
【００８７】
次に、図１２（ａ）及び図１２（ｂ）の内容について説明する。
【００８８】
図１２（ａ）において、輝度はカメラ１の不図示の測光手段で測光された自然光輝度であり、ストロボ光寄与率は自然光輝度に対して一義的に決定される。図１３に示すように、例えば輝度ＢＶ２（アペックス値）の時は７５％、ＢＶ５の時は５０％となるようにプログラム的にカメラ１内のシステム制御部１４内に設定されている。ストロボ光寄与率の非常に高い輝度ＢＶ３未満では、焦点距離補正値はレンズ焦点距離×０．１５（ｍｍ）であり、ストロボ光寄与率が比較的高いＢＶ３以上ＢＶ６未満までは焦点距離補正値はレンズ焦点距離×０．０７５（ｍｍ）となっている。また、ストロボ光の寄与率が低いＢＶ６以上では焦点距離補正値は０（ｍｍ）となっている。レンズ焦点距離より焦点距離補正値を減ずると、図１２（ｂ）に示す補正後焦点距離となる。補正後焦点距離に応じて制御照射角が決定され、ガイドナンバも決定される。
【００８９】
上記フローでは、レンズ焦点距離３１ｍｍでＢＶ２の場合について述べたが、レンズ焦点距離３１ｍｍでＢＶ４の時においては焦点距離補正値は３１×０．０７５＝２．３２５ｍｍとなり、補正後焦点距離は２８．６７５ｍｍとなり、制御照射角は２８ｍｍとなる。したがって、輝度が低くなる程、すなわちストロボ光の寄与率が高くなる程制御照射角はワイド側になることが解かる。
【００９０】
上記実施例６では、カメラで焦点距離補正値を決定しストロボに送っているが、カメラから自然光輝度情報を受け取りストロボで焦点距離補正値を決定しても良い。
【００９１】
上記の実施例１〜実施例６における効果について、以下にまとめて述べる。
【００９２】
（１）撮影レンズ４の焦点距離情報に応じてストロボ光の照射角を変更する手段と、撮影画質を選択する手段とを有し、撮影画質の選択結果に応じてストロボ光の照射角を変更するようにしている。よって、撮影画質に応じた適切な照射角でストロボ撮影が行うことが可能となる。詳しくは、撮影画質を選択する手段により高画質が選択された場合は、ワイド（広角）側の照射角になるように変更しているので、画面周辺での光量落ちの少ない良好な撮影結果を得ることができる。
【００９３】
（２）撮影レンズ４の焦点距離情報に応じてストロボ光の照射角を変更する手段と、撮影画質を選択する手段とを有し、撮影画質の選択結果に応じて撮影レンズ４の焦点距離情報を所定量補正するようにしている。よって、撮影画質に応じた適切な照射角でストロボ撮影が行うことが可能となる。詳しくは、撮影画質を選択する手段によって高画質が選択された場合は、撮影レンズ４の焦点距離情報をワイド側に補正するようにしているので、この際には照射角がワイド側になるように変更されることから、画面周辺での光量落ちの少ない良好な撮影結果を得ることが可能となる。なお、カメラ１が、画質の選択結果に応じて撮影レンズ４の焦点距離情報を補正し、該補正した焦点距離情報をストロボ３に伝達する、あるいは、ストロボ３が、画質の選択結果に応じてカメラ１からの撮影レンズ４の焦点距離情報を補正するようにしている。
【００９４】
（３）撮影レンズ４の焦点距離情報に応じてストロボ光の照射角を変更する手段と、撮影画質を選択する手段とを有し、撮影画質の選択結果に応じて照射角をステップ的（段階的）にシフトさせるようにしている。よって、撮影画質に応じた適切な照射角でストロボ撮影が行うことが可能となる。詳しくは、撮影画質を選択する手段によって高画質が選択された場合は、撮影画質をワイド側にシフトするようにしているので、画面周辺での光量落ちの少ない良好な撮影結果を得ることができる。
【００９５】
（４）上記（１）乃至（３）のストロボ撮影システムにおいて、撮影画質を選択する手段により選択される画質とは、画像サイズあるいは圧縮率である。よって、画像サイズあるいは圧縮率に応じて適切な照射角のストロボ撮影が可能である。
【００９６】
（５）撮影レンズ４の焦点距離情報に応じてストロボ光の照射角を変更する手段と、画質モードを選択する手段とを有するストロボ装置において、選択された画質モードに応じて照射角を変更するようにしている。よって、スロボ光の照射角を画質モードに応じて変更することが可能であり、該ストロボ装置を含むストロボ撮影システムを構成した場合、撮影画質に応じた適切な照射角でストロボ撮影が行うことが可能となる。
【００９７】
（６）撮影レンズ４の焦点距離に応じてストロボ光の照射角を制御する手段と、外光輝度（自然光輝度）を測光する手段と、この自然光輝度の結果に基づいてストロボ光寄与率を決定する手段とを有し、ストロボ光寄与率の決定結果に基づいて、撮影レンズ４の焦点距離に応じて制御された前記ストロボ光の照射角を補正するようにしている。よって、ストロボ光の照射角をストロボ光の露出に対する寄与率に応じて適切に変更することが可能である。詳しくは、ストロボ光寄与率の決定結果による該ストロボ光寄与率が高い時程、前記ストロボ光の照射角をワイド側に補正するようにしている。よって、低輝度時のストロボ光の照射むらを軽減することができる。
【００９８】
上記実施例１乃至６では、ストロボシステム制御部２１にて制御照射角を決定しているが、これに限られるものではない。カメラがストロボの代わりに複数の制御照射角のテーブルを有し、カメラのシステム制御部１４が装着されたストロボに応じてテーブルを選択して制御照射角を決定し、制御照射角の情報をストロボシステム制御部２１に送信する構成としても構わない。
【００９９】
また、カメラに着脱可能なストロボとカメラからなるシステムを例にあげて説明を行ったが、内蔵ストロボを有するカメラであっても上記と同様の制御照射角の設定を行える。
【０１００】
なお、上述したように実施例１〜６においてガイドナンバがストロボ２の表示部２３に表示されるが、この値は発光可能な最大ガイドナンバを示しているのであって、被写体の輝度に応じてガイドナンバは適当な値に設定される。
【図面の簡単な説明】
【０１０１】
【図１】本発明の各実施例に係わるストロボ撮影システムの回路構成を示すブロック図である。
【図２】本発明の実施例１におけるカメラ及びストロボでの動作を示すフローチャートである。
【図３】本発明の実施例１において画質モードとレンズ焦点距離等の関係を示す図である。
【図４】本発明の実施例２におけるストロボでの動作を示すフローチャートである。
【図５】本発明の実施例２において画質モードとレンズ焦点距離等の関係を示す図である。
【図６】本発明の実施例３におけるカメラ及びストロボでの動作を示すフローチャートである。
【図７】本発明の実施例４におけるストロボでの動作を示すフローチャートである。
【図８】本発明の実施例４において画質モードとレンズ焦点距離等の関係を示す図である。
【図９】本発明の実施例５におけるカメラ及びストロボでの動作を示すフローチャートである。
【図１０】本発明の実施例５において画質モードとレンズ焦点距離等の関係を示す図である。
【図１１】本発明の実施例６におけるカメラとストロボでの動作を示すフローチャートである。
【図１２】本発明の実施例６において自然光輝度とストロボ光寄与率、焦点距離補正値等の関係を示す図である。
【図１３】本発明の実施例６において自然光輝度とストロボ光寄与率の関係を示す図である。
【図１４】一般的なストロボ撮影時のストロボ光の照射特性を示す図である。
【符号の説明】
【０１０２】
１    カメラ
２    レンズ
３    ストロボ（装置）
４    撮影レンズ
８    撮像素子
１４  システム制御部
２１  ストロボシステム制御部
２４  発光部
【図１】
2006154368.tif 000003
【図２】
2006154368.tif 000004
【図３】
2006154368.tif 000005
【図４】
2006154368.tif 000006
【図５】
2006154368.tif 000007
【図６】
2006154368.tif 000008
【図７】
2006154368.tif 000009
【図８】
2006154368.tif 000010
【図９】
2006154368.tif 000011
【図１０】
2006154368.tif 000012
【図１１】
2006154368.tif 000013
【図１２】
2006154368.tif 000014
【図１３】
2006154368.tif 000015
【図１４】
2006154368.tif 000016